(57)【特許請求の範囲】
【請求項１】
供給コアにインクリボンを巻き付けてなるパンケーキから前記インクリボンを繰り出し、巻取コアで巻き取りながら印字を行なうプリンタに用いる前記供給コアと前記巻取コアを含む前記インクリボンが交換可能なインクリボンカセットであって、前記供給コア及び前記巻取コアを共に直立させた状態で収納可能なコア収納部を有してなるカセットケースと、少なくとも前記カセットケースの前記コア収納部を開閉可能で前記カセットケースとともに前記供給コアと前記巻取コアを回転可能に保持するカセットカバーを有し、前記コア収納部は前記供給コア及び前記巻取コアを回転可能に保持する底板と前記コア収納部の周囲を覆う側板とを有し、前記側板は２箇所の開口部を有し、前記インクリボンの所定のリボンルートが前記２箇所の開口部と前記カセットケースの外周のみで構成され、前記２箇所の開口部のうち前記所定のリボンルートにおいて前記巻取コア側となる開口部の開口幅が前記巻取コアの最大外径よりも大きく、前記巻取コアを前記巻取コア側となる開口部に挿通することで前記所定のリボンルートが形成可能であり、かつ、前記カセットカバーで前記カセットケースの前記コア収納部を閉じると、前記カセットカバーと前記供給コアとに設けられた回転防止部材が係合して前記供給コアが前記インクリボンを繰出す方向への回転を防止し、当該インクリボンカセットを前記プリンタに装着すると前記回転防止部材の係合が解除されて、前記供給コアに巻かれた前記インクリボンが繰出し可能となることを特徴とするインクリボンカセット。
【請求項２】
前記カセットケースは、さらに前記開口部に対して開閉可能な開閉部材を有し、請求項１に記載のリボンルートに挿通されたインクリボンに対して、前記開閉部材を閉じることで、前期開閉部材が前記インクリボンを前記リボンルート側方から押して、前記インクリボンが所定リボンルートとなることを特徴とする請求項１に記載のインクリボンカセット。
【請求項３】
前記開閉部材は、前記開口部を閉じた状態で前記カセットケースに設けられた第一係合部材と係合するとともに、前記カセットカバーで前記カセットケースの前記コア収納部を閉じることで前記カセットカバーに設けられた第二係合部材と係合して、前記開口部を閉じた状態に固定されることを特徴とする請求項２に記載のインクリボンカセット。
【発明の詳細な説明】
【技術分野】
【０００１】
本発明は、熱転写プリンタに取付けて使用するインクリボンカセットの技術分野に属する。
【背景技術】
【０００２】
この種のインクリボンカセットの構造は、大きく分けて２種類に分類される。この２種類のうちの１種類は、供給コアにインクリボンを巻き付けてなるパンケーキとインクリボンを巻き取る巻取コアに対して、それぞれのコアの回転軸と平行な方向に分割されたカセットケースとカセットカバーからなるインクリボンカセットである。このようなインクリボンカセットの例としては、特許文献１に示すような形態のインクリボンカセットＸが挙げられる。
【０００３】
インクリボンカセットＸは、第１の半円筒部と、この第１の半円筒部と所定の間隔を設けて配置された第２の半円筒部と、これら第１および第２の半円筒部の側端部を繋ぐ連結部材とを一体化したカセットケース（特許文献１では下ケースと言う）と、第１の半円筒部に取付けられた第１のカセットカバー（特許文献１では上ケースと言う）と、第２の半円筒部に取付けられる第２のカセットカバーを有している。そして、インクリボンカセットＸでは、第１の半円筒部及び第１のカセットカバー（上ケース）内に幅広なインクリボンを供給コア（特許文献１では送出しコアと言う）に巻き付けたパンケーキが回転可能に設けられ、第２の半円筒部及び第２のカセットカバー（上ケース）内に巻取コアが回転可能に設けられ、供給コアから繰り出されたインクリボンを巻取コアで巻き取る構造となっている。
【０００４】
インクリボンカセットＸでは、パンケーキと巻取コアが連結されたパンケーキセットをカセットケースに簡単に装着することができるので、パンケーキセットを交換して使用するタイプのインクリボンカセットに適している。一方、インクリボンカセットＸは長尺のインクリボンを巻き付けた重いパンケーキには適していない。インクリボンカセットＸでは、第１の半円筒部と第２の半円筒部間に熱転写プリンタの印字ヘッドを挿入する空間が設けられるため、第１と第２の半円筒部の連結部材は両側端部のみに設けられる。このため、連結部材を強固なものにすることが困難であり、インクリボンカセットＸには、長尺のインクリボンを巻き付けた重いパンケーキの搭載は困難である。
【０００５】
この２種類のうちのもう１種類は、供給コアにインクリボンを巻き付けたパンケーキとインクリボンを巻き取る巻取コアに対して、それぞれのコアの回転軸と垂直な方向に分割されたカセットケースとカセットカバーからなるインクリボンカセットである。このようなインクリボンカセットの例としては、特許文献２に示すような形態のインクリボンカセットＹが挙げられる。
【０００６】
インクリボンカセットＹでは、供給コア及び巻取コアを共に直立させた状態で収納可能なコア収納部を有するカセットケース（特許文献２では、カセット本体と言う）と、カセットケースに着脱可能で少なくともコア収納部を閉塞可能なカセットカバー（特許文献２では蓋体と言う）とからなり、カセットケースには、プリンタの印字ヘッドを挿入可能なヘッド挿入部がコア収納部から独立して設けられている。
【０００７】
インクリボンカセットＹは、コア収納部が供給コアと巻取コアを回転可能に保持する底面と、供給コアにインクリボンを巻き付けたパンケーキと巻取コアの周囲を覆う側板で構成されているので、コア収納部の構造が強固なものとなり、長尺インクリボンを巻き付けた重いパンケーキの搭載に適している。一方、インクリボンカセットＹはコア収納部が側板で覆われているため、インクリボンのルートに狭い隙間となる箇所があり、パンケーキセットの交換が困難である。
【０００８】
パンケーキセットの交換が簡便なインクリボンカセットとしては、特許文献３の図４に示すようなインクリボンカセットＺが例示されている。インクリボンカセットＺでは、カセットカバーとカセットケースが一体となったインクリボンカセット本体に対して着脱自在でロール状に巻回されたインクリボンを保持するインクリボン供給部材をインクリボンカセット本体の側方から挿入するだけで、インクリボン供給部材がインクリボンカセット本体に回転可能に保持される。さらに、この状態でインクリボンカセットＺのインクリボン供給部材と連結されたインクリボン巻取部材をインクリボンカセット本体の外周に沿って移動させた後にインクリボンカセット本体の側方から挿入するだけで、インクリボンが所定のリボンルートに形成されるとともにインクリボン巻取部材がインクリボンカセット本体に回転可能に保持されるようになっている。
【０００９】
しかしながら、インクリボンカセットＺでは、簡単な作業でインクリボンを所定のリボンルートに形成できるようにするために、インクリボンカセット本体は殆ど側壁がない構成となっている。このため、インクリボンカセットＺに長尺のインクリボンを巻き付けた重いパンケーキを搭載するためには、インクリボンカセット本体を金属等の高強度の材料で製作する必要があり、インクリボンカセットＺは材料費が高価なものになる。
【先行技術文献】
【特許文献】
【００１０】
【特許文献１】特開２００１−２０５９０７号公報
【特許文献２】特開平０７−１０８７３０号公報
【特許文献３】特開平０７−２５６９６７号公報
【発明の概要】
【発明が解決しようとする課題】
【００１１】
本発明はこれらの点に鑑みてなされたものであり、金属等の高価な材料を使用しなくても、長尺のインクリボンを巻き付けた重いパンケーキが搭載可能で、インクリボンの交換が簡便であり、カセットケース、カバーの再利用を可能にして資源の有効利用を果たすことができるインクリボンカセットを提供することを目的とする。
【課題を解決するための手段】
【００１２】
第１発明は、供給コアにインクリボンを巻き付けてなるパンケーキから前記インクリボンを繰り出し、巻取コアで巻き取りながら印字を行なうプリンタに用いる前記供給コアと前記巻取コアを含む前記インクリボンが交換可能なインクリボンカセットであって、前記供給コア及び前記巻取コアを共に直立させた状態で収納可能なコア収納部を有してなるカセットケースと、少なくとも前記カセットケースの前記コア収納部を開閉可能で前記カセットケースとともに前記供給コアと前記巻取コアを回転可能に保持するカセットカバーを有し、前記コア収納部は前記供給コア及び前記巻取コアを回転可能に保持する底板と前記コア収納部の周囲を覆う側板とを有し、前記側板は２箇所の開口部を有し、前記インクリボンの所定のリボンルートが前記２箇所の開口部と前記カセットケースの外周のみで構成され、前記２箇所の開口部のうち前記所定のリボンルートにおいて前記巻取コア側となる開口部の開口幅が前記巻取コアの最大外径よりも大きく、前記巻取コアを前記巻取コア側となる開口部に挿通することで前記所定のリボンルートが形成可能であり、かつ、前記カセットカバーで前記カセットケースの前記コア収納部を閉じると、前記カセットカバーと前記供給コアとに設けられた回転防止部材が係合して前記供給コアが前記インクリボンを繰出す方向への回転を防止し、当該インクリボンカセットを前記プリンタに装着すると前記回転防止部材の係合が解除されて、前記供給コアに巻かれた前記インクリボンが繰出し可能となることを特徴とするインクリボンカセットである。
【００１３】
第２発明は、前記カセットケースは、さらに前記開口部に対して開閉可能な開閉部材を有し、第１発明に記載のリボンルートに挿通されたインクリボンに対して、前記開閉部材を閉じることで、前期開閉部材が前記インクリボンを前記リボンルート側方から押して、前記インクリボンが所定リボンルートとなることを特徴とする第１発明に記載のインクリボンカセットである。
【００１４】
第３発明は、前記開閉部材が、前記開口部を閉じた状態で前記カセットケースに設けられた第一係合部材と係合するとともに、前記カセットカバーで前記カセットケースの前記コア収納部を閉じることで前記カセットカバーに設けられた第二係合部材と係合して、前記開口部を閉じた状態に固定されることを特徴とする第２発明に記載のインクリボンカセットである。
【発明の効果】
【００１５】
本発明によれば、供給コア及び巻取コアを共に直立させた状態でカセットケースのコア収納部に収納し、コア収納部の側壁に２箇所の開口部を設けるだけでインクリボンを所定のリボンルートに挿通できるようにしたので、コア収納部が構造上強固なものとなり、カセットケースに金属等の高価な材料を使用しなくても長尺のインクリボンを巻き付けた重いパンケーキが搭載可能である。また、インクリボンを２箇所の開口部に挿通させることでインクリボンが所定リボンルートになることに加えて、巻取コアの最大外径よりも巻取側開口部の開口幅を大きくして、巻取コアが巻取側の開口部を挿通可能としたので、インクリボンの交換が簡便であり、カセットケース、カバーの再利用を可能にして資源の有効利用を果たすことができる。
【図面の簡単な説明】
【００１６】
【図１】本発明の第１実施形態にかかるインクリボンカセットＡを示す図である。
【図２】本発明のインクリボンカセットＡの回転防止部３Ｄを示す図である。
【図３】本発明のインクリボンカセットＡのパンケーキセット交換時にパンケーキセットをカセットケースへ初期装着した状態を示す図である。
【図４】本発明の第２実施形態にかかるインクリボンカセットＢを示す図である。
【発明を実施するための形態】
【００１７】
以下、添付図面に基づき本発明の実施形態を説明するが、本発明は下記に限定されるものではない。図１〜図３に本発明の第１実施形態に係るインクリボンカセットＡを示す。図１（ａ）は、インクリボンカセットＡのカセットカバーを開いた状態を示す図であり、図１（ｂ）はインクリボンカセットＡのカセットカバーを閉じた状態を示す図であり、図２は、インクリボンカセットＡの回転防止部３Ｄを示す図であり、図３はインクリボンカセットＡのパンケーキセット交換時にパンケーキセットを最初にカセットケースに装着した状態を示す図である。
【００１８】
図１に示すインクリボンカセットＡは、インクリボン１、コア収納部６とプリンタの印字ヘッド３０（図示せず）が入り込む空間１０を有するカセットケ−ス２、カセットケ−ス２のコア収納部６内に回転自在に設けられた供給コア４にインクリボン１を巻き付けたパンケーキ、同じくカセットケ−ス２のコア収納部６内に回転自在に設けられ供給コア４から繰出されたインクリボン１を巻き取る巻取コア５、カセットケース２に回転可能に保持されインクリボン１と接触してインクリボン１の走行によって回転する複数のローラ７及び、カセットケース２のコア収納部６を開閉可能で、カセットケース２とともに供給コア４と巻取コア５を回転可能に保持するカセットカバー３で構成される。
【００１９】
カセットケース２のコア収納部６の側板には２箇所の開口部６Ａ、６Ｂが設けられる。インクリボンカセットＡでは、供給コア４に巻き付けたインクリボン１と巻取コア５がリーダーテープと呼ばれるテープで連結されて、パンケーキセットとなっている。インクリボンカセットＡでは、このパンケーキセットを交換することで、インクリボン１を交換する。
【００２０】
インクリボンカセットＡのパンケーキセットの装着作業では、まず、図３に示すように、パンケーキセットのパンケーキをカセットケース２の所定の位置にセットしつつ、リーダーテープを開口部６Ａに挿通する。インクリボン１が巻き付けられてパンケーキとなっている供給コア４の穴の端部に、カセットケース２の底板に設けられたコア受け軸２Ａ（図示せず）を装着することよって、パンケーキは所定の位置にセットされる。開口部６Ａの開口幅はリーダーテープが挿通可能であればよく、必要最小限の幅にすることが好ましい。開口部６Ａの開口幅を必要最小限の大きさとすることにより、コア収納部６を強固ものとすることができ、コア収納部６に長尺で重いパンケーキが収納可能となる。
【００２１】
次に巻取コア５をカセットケース２の外周に沿って移動し、巻取コア５を開口部６Ｂに挿通した後、カセットケース２の所定の位置にセットすることで、カセットケース２へのパンケーキセットの装着が完了する。巻取コア５の穴の端部に、カセットケース２の底板に設けられたコア受け軸２Ｂを装着することよって、巻取コア５は所定の位置にセットされる。図３に示すカセットケース２の側板に設けられた開口部６Ｂの開口幅は、巻取コア５の最大外径よりも少しだけ大きく設定することが好ましい。開口部６Ｂの開口幅を、巻取コア５の最大外径より大きくすることにより、巻取コア５を開口部６Ｂに挿通させることができる。このため、インクリボンカセットＡのパンケーキセットの装着作業では、開口部６Ａにリーダーテープを挿通した後は、巻取コアをほぼ同じ高さで平行に移動するだけで、パンケーキセットの装着が完了でき、パンケーキセットの装着作業が簡便となる。開口部６Ｂの開口幅は巻取コア５が挿通可能であればよく、必要最小限の幅にすることが好ましい。開口部６Ｂの開口幅を必要最小限の大きさとすることにより、コア収納部６を強固なものとすることができ、コア収納部に長尺で重いパンケーキが収納可能となる。
【００２２】
インクリボンカセットＡのカセットケース２のインクリボン１と接触する箇所には、カセットケース２に対して回転可能なローラ７を設けることが好ましい。
【００２３】
図１（ａ）に示すように、インクリボンカセットＡのカセットケース２には、カセットカバー３がヒンジを介して連結されており、ヒンジを中心としてカセットカバー３を回転移動することによって、カセットケース２のコア収納部６が開閉可能となっている。
【００２４】
カセットカバー３には、供給コア４の穴端部を回転可能に保持するコア受け軸３Ａと、巻取コア５の穴端部を回転可能に保持するコア受け軸３Ｂが設けられている。ヒンジを中心にカセットカバーを回転させ、図１（ｂ）のようにカセットカバー３でカセットケース２のコア収納部６を閉じると、供給コア４の穴端部にコア受け軸３Ａが、巻取コア５の穴端部にコア受け軸３Ｂが、それぞれ挿入され供給コア４と巻取コア５が回転可能に保持される。また、カセットカバー３には、カセットケース２に設けられた三角片２Ｃ（図示せず）と係合する弾性片３Ｃが設けられ、カセットカバー３を閉じると、弾性片３Ｃが三角片２Ｃの斜面に沿って変形して弾性片３Ｃが三角片２Ｃを乗り越えて、弾性片３Ｃと三角片２Ｃが係合し、カセットカバー３がカセットケース２に固定される。弾性片３Ｃを押圧して弾性片３Ｃを弾性変形させることによって、弾性片３Ｃと三角片２Ｃの係合を解除できるので、弾性片３Ｃを押圧することによって、カセットカバー３をカセットケース２から開くことができる。
【００２５】
カセットカバー３には、さらに回転防止部３Ｄが設けられている。図２に示すように、回転防止部３Ｄはカセットカバー３、回転防止片３ＤＡ、及びコイルスプリング８で構成される。回転防止片３ＤＡは、３箇所の端部を有する棒状の部品で、カセットカバー３に設けられた枠内に装着される。回転防止片３ＤＡの３箇所の端部は、それぞれ、ヒンジ部、係合部、及び係合解除部である。ヒンジ部は、カセットカバー３とヒンジを介して連結され、回転防止片３ＤＡの回転中心となる。係合部は、供給コア４の端部に設けられたラチェット歯４Ａと係合して供給コア４のリボンを繰出す方向への回転を防止する。係合解除部は、インクリボンカセットＡをプリンタに装着するとプリンタから突出した固定ピンにより押し上げられる。係合解除部の近傍のカセットカバー３と回転防止片３ＤＡ間にはコイルスプリング８が装着され、コイルスプリング８は回転防止片３ＤＡをカセットカバー３から遠ざかる方向へ押圧している。回転防止片３ＤＡを挟んでコイルスプリング８の反対側には、カセットカバー３から延設された受け部３ＤＢが設けられている。回転防止片３ＤＡにコイルスプリング８以外の外力がかからない状態では、回転防止片３ＤＡはコイルスプリング８と受け部３ＤＢに挟まれて、受け部３ＤＢに押圧された状態で固定されている。
【００２６】
図２に示すように、ヒンジを中心としてカセットカバー３を回転移動すると、カセットケース２のコア収納部６を閉じることができる。インクリボンカセットＡがプリンタに装着されていない状態で、カセットカバー３でコア収納部６を閉じると、回転防止片３ＤＡの係合部に設けられた三角突起３ＤＡＡが、コア収納部６内にある供給コア４の端面に１周に亘って連続して設けられたラチェット歯４Ａと係合する。供給コア４がインクリボン１を繰出す方向（図１（ａ）では左回転）に回転しようとすると、三角突起３ＤＡＡとラチェット歯４Ａは強く噛み合って、供給コア４の回転を防止する。これに対して、供給コア４がインクリボン１を繰出す方向の反対方向（図１（ａ）では右回転）に回転しようとすると、三角突起３ＤＡＡの斜面がラチェット歯４Ａの斜面上を滑るとともに、コイルスプリングが弾性変形することによって回転防止片３ＤＡ全体がヒンジ部を回転中心として持ち上がり、三角突起３ＤＡＡがラチェット歯４Ａを乗り越えることによって、供給コア４は回転する。
【００２７】
このように、インクリボンカセットＡがプリンタに装着されていない状態では、インクリボンカセットＡの供給コア４はインクリボン１を繰出す方向には回転しないので、供給コア４と巻取コア５間のインクリボン１が張った状態でパンケーキセットがセットされていれば、インクリボン１が弛むことがない。また、プリンタに装着されていない状態でも、インクリボンカセットＡの供給コア４はインクリボン１を繰出す方向の反対方向には回転するので、供給コア４と巻取コア５間のインクリボン１が弛んでいれば、インクリボン１を供給コア４側に巻き戻すことによって、インクリボン１を張った状態にすることができるとともに、一旦張った状態にすれば、その状態で維持することができる。
【００２８】
このように、インクリボンカセットＡでは、インクリボン１を交換した後に、インクリボン１を張った状態で維持できる。したがって、インクリボンカセットＡをプリンタに装着するときに、インクリボン１が弛むことによりプリンタに引っ掛けるなどして、インクリボンカセットＡが装着不良となることがない。
【００２９】
また、インクリボンカセットＡをプリンタに装着すると、プリンタから突出した固定ピンにより回転防止片３ＤＡの係合解除部が押し上げられる。係合解除部が押し上げられると、回転防止片３ＤＡはヒンジ部を中心として回転し、回転防止片３ＤＡの係合部も押し上げられる。回転防止片３ＤＡの係合部が押し上げられるので、係合部に設けられた三角突起３ＤＡＡと供給コア４の端面に１周に亘って連続して設けられたラチェット歯４Ａとの係合が解除され、供給コア４がインクリボン１を繰出す方向へ回転可能となる。このように、インクリボンカセットＡをプリンタに装着すると、供給コア４はインクリボン１を繰出す方向へ回転可能となるので、プリンタで印字をする際に回転防止片３ＤＡが印字の障害となることはない。
【００３０】
インクリボンカセットＡではプリンタから突出した固定ピンにより、回転防止片３ＤＡと供給コア４の係合を解除しているが、必ずしもプリンタに固定ピン等を設ける必要はない。回転防止片３ＤＡの一部をインクリボンカセットＡの外壁から突出させて、インクリボンカセットＡをプリンタに装着する際に、外壁から突出した回転防止片３ＤＡをプリンタの一部と接触させることによって、回転防止片３ＤＡと供給コア４の係合を解除しても構わない。
【００３１】
インクリボンカセットＡは、インクリボン１を使用し終えるまでプリンタから取り外さないことを前提として、設計されている。したがって、回転防止部３Ｄは、供給コア４側のみに設けている。しかしながら、インクリボン１の使用途中にインクリボンカセットをプリンタから取り外す可能性がある場合には、回転防止部を巻取コア５側にも設けることが好ましい。巻取コア５側に回転防止部を設ける場合には、巻取コア５がインクリボン１を巻取る方向の反対方向への回転を防止するようにすることが好ましい。供給コア４側に、供給コア４がインクリボン１を繰出す方向の回転を防止する回転防止部３Ｄがあり、巻取コア５側に巻取コア５がインクリボン１を巻き取る方向の反対への回転を防止する回転防止部の両方があれば、インクリボンカセットをプリンタから取り外しても、インクリボン１はどちらのコアからも巻き出されない。このように、回転防止部を供給、巻取の両コアともに設ければ、インクリボンカセットをプリンタから取り外しても、インクリボン１が弛むことがないので、再びインクリボンカセットをプリンタに装着する際に、インクリボン１が弛むことによりプリンタに引っ掛けるなどして、インクリボンカセットが装着不良となることがない。
【００３２】
図４に本発明の第２実施形態に係るインクリボンカセットＢを示す。図４（ａ）は、インクリボンカセットＢのカセットカバー３を開いた状態を示す図であり、図４（ｂ）はインクリボンカセットＢのカセットカバー３が閉じられた状態をカセットカバー３側から見た図である。
【００３３】
インクリボンカセットＢは、カセットケース２がカセットケース本体２Ｄと、カセットケース本体２Ｄに対してヒンジを介して開閉可能な開閉部材２Ｅで構成されている以外は、インクリボンカセットＡと同様である。
【００３４】
インクリボンカセットＢを使用するプリンタでは、図４（ｂ）に二点鎖線で示すニップローラが設けられている。ニップローラは２つのローラで構成されており、インクリボンカセットＢをプリンタに装着する時に、インクリボン１がこの２つのローラ間を通るように装着しなければならない。この２つのローラ間にインクリボン１を通すためには、インクリボン１をカセットケース２の外形よりも内側に折り曲げなければならないので、インクリボンカセットＢでは、インクリボンカセットＡのように、カセットケース２の外形に沿って巻取コア５を移動させるだけでは、インクリボン１を所定のリボンルートにセットすることはできない。
【００３５】
インクリボンカセットＢでは、インクリボンカセットＡと同様の方法でパンケーキセットをカセットケース２に装着した後に、開閉部材２Ｅを閉じることによって、インクリボン１を所定のリボンルートにセットすることができる。
【００３６】
インクリボンカセットＢのカセットケース本体２Ｄにパンケーキセットが装着された状態で開閉部材２Ｅを閉じると、開閉部材に設けられた２本のリブ２ＥＡと２ＥＢとローラ２ＥＥがインクリボン１を押して、インクリボン１を所定のリボンルートにセットすることができる。インクリボンカセットＢでは、インクリボンカセットＡと同様な簡便な方法でパンケーキセットを装着した後に開閉部材２Ｅを閉じるだけで、インクリボンカセットＡよりも複雑なリボンルートにインクリボン１を挿通することができるので、非常に簡便に複雑なリボンルートを挿通することができる。
【００３７】
開閉部材２Ｅをヒンジ回りに回転移動させてカセットケース本体２Ｄの開口部を閉じると、開閉部材２Ｅはカセットケース本体２Ｄの上板２ＤＡと下板２ＤＢの間に装着される。
下板２ＤＢの開閉部材２Ｅと接触する面には、断面が三角形状の突起２ＤＢＡが設けられている。一方、開閉部材２Ｅには下板２ＤＢと接する面には穴２ＥＣが設けられている。開閉部材２Ｅでカセットケース本体２Ｄの開口部を閉じようとすると、開閉部材２Ｅは三角形状の突起２ＤＢＡに沿って持ち上がりながら、上板２ＤＡと下板２ＤＢ間に装着される。上板２ＤＡと下板２ＤＢ間の距離は、この間に装着される開閉部材２Ｅの幅と三角形状の突起２ＤＢＡの高さとの合計よりも大きいので、開閉部材２Ｅは三角形状の突起２ＤＢＡに沿って持ち上がりながら、上板２ＤＡと下板２ＤＢ間に装着することができる。開閉部材２Ｅが、上板２ＤＡと下板２ＤＢ間に装着されると、三角形状の突起２ＤＢＡが穴２ＥＣ内に入り込む。このように、開閉部材２Ｅは、カセットケース本体２Ｄに設けられた第一係合部材である三角形状の突起２ＤＢＡと係合することにより、カセットケース本体２Ｄに固定される。
【００３８】
上板２ＤＡと開閉部材２Ｅには、開閉部材２Ｅでカセットケース本体２Ｄの開口部を閉じた状態で、同じ位置となる箇所に角穴２ＤＡＡ、２ＥＤが設けられている。カセットカバー３には角突起３Ｅが設けられ、開閉部材２Ｅでカセットケース本体２Ｄの開口部を閉じた状態で、カセットカバー３を閉じると、角突起３Ｅが角穴２ＤＡＡ、２ＥＤを貫いて挿入される。このように、上記第一係合部材に加えてカセットカバー３に設けられた第二係合部材である角突起３Ｅと係合することによって、開閉部材２Ｅはカセットケース本体２Ｄの開口部及びカセットカバー３に強固に固定される。
【００３９】
インクリボンカセットＢでは、このように、開閉部材２Ｅがカセットケース本体２Ｄ及びカセットカバー３と強固に固定されるので、構造上強固なインクリボンカセットとなり、
さらに長尺のインクリボンを巻き付けた重いパンケーキが搭載可能である。
【００４０】
インクリボンカセットＢでは、開閉部材２Ｅを１箇所だけに設けたが、２箇所以上の複数の開閉部材を設けてもよい。複数の開閉部材を設けることにより、より複雑なリボンルートに対応することができるとともに、より構造上強固なインクリボンカセットとすることができ、より長尺のインクリボンを巻き付けた重いパンケーキが搭載可能となる。
【符号の説明】
【００４１】
Ａ、Ｂ、Ｘ、Ｙ、Ｚ  インクリボンカセット
１  インクリボン
２  カセットケース
２Ａ、２Ｂ  コア受け軸
２Ｃ  三角片
２Ｄ  カセットケース本体
２ＤＡ  上板
２ＤＡＡ  角穴
２ＤＢ  下板
２ＤＢＡ  三角形状の突起
２Ｅ  開閉部材
２ＥＡ、２ＥＢ  リブ
２ＥＣ  穴
２ＥＤ  角穴
３  カセットカバー
３Ａ、３Ｂ  コア受け軸
３Ｃ  弾性片
３Ｄ  回転防止部
３ＤＡ  回転防止片
３ＤＡＡ  三角突起
３ＤＢ  受け部
３Ｅ  角突起
４  供給コア
４Ａ  ラチェット歯
５  巻取コア
６  コア収納部
６Ａ、６Ｂ  開口部
７、２ＥＥ  ローラ
８  コイルスプリング
１０  （プリンタの印字ヘッドが入り込む）空間
３０  プリンタの印字ヘッド
【図１】
0006488479.tif 000002
【図２】
0006488479.tif 000003
【図３】
0006488479.tif 000004
【図４】
0006488479.tif 000005